(57)【要約】【課題】モデル材及びサポート材を用いて造形物を製造する方法において、サポート材の除去をより短時間に行なう。【解決手段】本発明に係る造形物の製造方法は、モデル材及びサポート材を形成するためのサポート材を吐出する吐出工程を含み、上記吐出工程では、吐出対象物の上に着弾したモデル材の密度を、当該吐出対象物の上に着弾したサポート材の密度より大きくなるように上記モデル材及び上記サポート材を吐出する。【選択図】図１
2015123687.tif 000002
【特許請求の範囲】
【請求項１】
造形物となるモデル材及び当該モデル材の支持体となるサポート材を吐出する吐出工程を含み、
上記吐出工程では、吐出対象物の上に着弾したモデル材の密度が、当該吐出対象物の上に着弾したサポート材の密度より大きくなるように上記モデル材及び上記サポート材を吐出することを特徴とする造形物の製造方法。
【請求項２】
上記吐出工程では、上記吐出対象物の上に着弾した上記サポート材の滴のうち、或る方向に隣接する２滴と、当該２滴のそれぞれから当該或る方向とは垂直方向に隣接する滴との４滴の中心に当該４滴が重複しない隙間が形成されるように、上記サポート材を吐出することを特徴とする請求項１に記載の造形物の製造方法。
【請求項３】
上記吐出工程では、上記吐出対象物の上に着弾した上記サポート材の滴の直径をｒとし、隣接する上記サポート材の滴同士の中心間の距離をｘとしたとき、ｒ／２≦ｘ≦ｒとなるように上記サポート材を吐出することを特徴とする請求項１又は２に記載の造形物の製造方法。
【請求項４】
上記吐出工程では、上記吐出対象物の上に着弾した上記モデル材の滴の直径をｒとし、隣接する上記モデル材の滴同士の中心間の距離をｘとしたとき、０＜ｘ＜ｒとなるように上記モデル材を吐出することを特徴とする請求項１〜３のいずれか１項に記載の造形物の製造方法。
【請求項５】
上記モデル材及び上記サポート材のうち少なくとも一方が紫外線硬化型インクであることを特徴とする請求項１〜４のいずれか１項に記載の造形物の製造方法。
【請求項６】
造形物となるモデル材及び当該モデル材の支持体となるサポート材を吐出する印刷装置の制御装置であり、吐出対象物の上に着弾したモデル材の密度が、当該吐出対象物の上に着弾したサポート材の密度より大きくなるように上記モデル材及び上記サポート材を吐出する制御を行なうことを特徴とする制御装置。
【発明の詳細な説明】
【技術分野】
【０００１】
本発明は、例えば３次元形状の造形物の製造方法及び制御装置に関する。
【背景技術】
【０００２】
特許文献１には、凝固層を積層することによって３次元物体を形成する方法が記載されている。この方法では、未凝固層の一部を選択的に除去することで３次元物体を形成する。
【０００３】
特許文献２には、モデル材及びサポート材をそれぞれ吐出するノズルを備える３次元造形装置が記載されている。当該サポート材としてモデル材と分離可能な材料が用いられている。
【０００４】
特許文献３には、透明の紫外線硬化型インクを付与し、紫外線により硬化させる工程を繰り返すことによって立体模様を形成する工程、着色成分を含む紫外線硬化型インクを付与することにより、立体画像を形成する工程からなるインクジェット記録方法が記載されている。
【０００５】
特許文献４には、マスクパターンに則してモデル材とサポート材とによって積層形成し立体物を形成した後、該立体物にアルカリ水溶液を塗布することによって立体物から不要なサポート材を除去する三次元造型方法が記載されている。
【０００６】
特許文献５には、ヘッド部を一方向に往復走査させて、モデル材及びサポート材を造形プレート上に吐出させ、該往復走査の往路又は復路の少なくともいずれか一方で、モデル材及び／又はサポート材を硬化させることにより、スライスを生成し、高さ方向に造形プレートとヘッド部との相対位置を移動させて、スライスの積層を繰り返すことにより造形を実行するよう制御し、かつ造形物の走査方向におけるモデル材とサポート材とが位置するラインにおいて、同一の往復走査で、モデル材とサポート材を同時に吐出させず、いずれか一方の造形材のみを吐出、硬化させる三次元造形装置が記載されている。
【０００７】
特許文献６には、ヘッド部を一方向に往復走査させて、モデル材及びサポート材を造形プレート上に吐出させ、該往復走査の往路又は復路の少なくともいずれか一方で、モデル材及び／又はサポート材を硬化させることにより、スライスを生成し、高さ方向に造形プレートとヘッド部の相対位置を移動させて、スライスの積層を繰り返すことにより造形を実行するよう制御し、かつサポート材の吐出量を、モデル材の吐出量よりも多くし、サポート材で造形される分解能を、モデル材の分解能よりも低くさせる三次元造形装置が記載されている。
【先行技術文献】
【特許文献】
【０００８】
【特許文献１】特開平６−５５６４２号公報（１９９４年３月１日公開）
【特許文献２】特開２００４−２５５８３９号公報（２００４年９月１６日）
【特許文献３】特開２００９−２０９５１１号公報（２００９年９月１７日）
【特許文献４】特開２０１１−５６５８号公報（２０１１年１月１３日）
【特許文献５】特開２０１２−９６４２９号公報（２０１２年５月２４日）
【特許文献６】特開２０１２−９６４３０号公報（２０１２年５月２４日）
【発明の概要】
【発明が解決しようとする課題】
【０００９】
上述の先行技術文献にも記載されているように、モデル材及びサポート材を用いて３次元の造形物を製造する場合には、モデル材及びサポート材を積層させた後にサポート材を除去する必要がある。造形物をより短時間で製造するためには、より短時間でサポート材を除去する必要があるが、いずれの先行技術文献にも、短時間でサポート材を除去するための技術は記載されていない。
【００１０】
本発明は、モデル材及びサポート材を用いて造形物を製造する方法において、サポート材の除去をより短時間に行なうことを目的とする。
【課題を解決するための手段】
【００１１】
上記の課題を解決するために、本発明に係る造形物の製造方法は、造形物となるモデル材を形成するためのモデル材及び当該モデル材の支持体となるサポート材を形成するためのサポート材を吐出する吐出工程を含み、上記吐出工程では、吐出対象物の上に着弾したモデル材の密度が、当該吐出対象物の上に着弾したサポート材の密度より大きくなるように上記モデル材及び上記サポート材を吐出することを特徴としている。
【００１２】
上記の構成によれば、サポート材の密度はモデル材の密度より低いため、除去剤等はモデル材よりもサポート材に浸透しやすく、サポート材が除去されやすい。よって、より短時間でサポート材を除去することができる。
【００１３】
本発明に係る造形物の製造方法では、上記吐出工程では、上記吐出対象物の上に着弾した上記サポート材の滴のうち、或る方向に隣接する２滴と、当該２滴のそれぞれから当該或る方向とは垂直方向に隣接する滴との４滴の中心に当該４滴が重複しない隙間が形成されるように、上記サポート材を吐出することより好ましい。
【００１４】
上記隙間が形成されることにより、除去剤とサポート材とが接する面積がより広がり、サポート材の除去速度がより速くなる。
【００１５】
本発明に係る造形物の製造方法では、上記吐出工程では、上記吐出対象物の上に着弾した上記サポート材の滴の直径をｒとし、隣接する上記サポート材の滴同士の中心間の距離をｘとしたとき、ｒ／２≦ｘ≦ｒとなるように上記サポート材を吐出することがより好ましい。
【００１６】
除去剤とサポート材とが接する面積がより広がり、サポート材の除去速度がより速くなる。
【００１７】
本発明に係る造形物の製造方法では、上記吐出工程では、上記吐出対象物の上に着弾した上記モデル材の滴の直径をｒとし、隣接する上記モデル材の滴同士の中心間の距離をｘとしたとき、０＜ｘ＜ｒとなるように上記モデル材を吐出することがより好ましい。
【００１８】
モデル材をより密にすることによって、表面精度の高い造形物が得られる。また、モデル材をより密にすることによって、サポート材の除去が容易となる。
【００１９】
本発明に係る造形物の製造方法では、上記モデル材及び上記サポート材のうち少なくとも一方が紫外線硬化型インクであることがより好ましい。
【００２０】
モデル材及びサポート材の硬化をより容易に行なうことができる。
【００２１】
本発明に係る制御装置は、造形物となるモデル材及び当該モデル材の支持体となるサポート材を吐出する印刷装置の制御装置であり、吐出対象物の上に着弾したモデル材の密度が、当該吐出対象物の上に着弾したサポート材の密度より大きくなるように上記モデル材及び上記サポート材を吐出する制御を行なうことを特徴とする。サポート材が除去しやすい造形物を製造することができる。
【発明の効果】
【００２２】
本発明によれば、より短時間でサポート材を除去することができるという効果を奏する。
【図面の簡単な説明】
【００２３】
【図１】本発明の一実施形態に係る着弾したサポート材の滴の大きさ及び位置を表す模式図である。
【図２】本発明の一実施形態に係る着弾したサポート材の滴の大きさ及び位置を表す模式図である。
【図３】本発明の一実施形態に係る着弾したサポート材の滴の大きさ及び位置を表す模式図である。
【図４】本発明の一実施形態に係る着弾したサポート材の滴の大きさ及び位置を表す模式図である。
【図５】本発明の一実施形態に係る着弾したサポート材の滴の大きさ及び位置を表す模式図である。
【図６】本発明の一実施形態に係る着弾したサポート材の滴の大きさ及び位置を表す模式図である。
【発明を実施するための形態】
【００２４】
以下、本発明の実施の形態について、詳細に説明する。
【００２５】
本発明に係る造形物の製造方法は、造形物となるモデル材及び当該モデル材の支持体となるサポート材を吐出する吐出工程を含み、上記吐出工程では、吐出対象物の上に着弾したモデル材の密度を、当該吐出対象物の上に着弾したサポート材の密度より大きくなるように上記モデル材及び上記サポート材を吐出する。
【００２６】
〔モデル材〕
モデル材は、造形物を構成するための材料である。モデル材の具体的な種類は、製造する造形物の用途等に応じて適宜選択すればよいが、例えば、ホットメルトインク、ラテックスインク、紫外線硬化型インクが挙げられ、中でも、紫外線硬化型インクであることが好ましい。容易に硬化できるからである。モデル材として紫外線硬化型インクを用いるときは、後述の吐出工程において、当該紫外線硬化型インクを吐出した後、紫外線を照射すればよい。例えば、インクジェットによって行なう場合、当該紫外線硬化型インクを吐出するヘッドに隣接させて紫外線照射ランプを設けて、吐出しながら紫外線を照射すればよい。
【００２７】
〔サポート材〕
サポート材はモデル材の支持体となるものである。モデル材の構造をサポート材で支持して、モデル材が造形物の構造を維持できるように硬化した後に、必要に応じてサポート材は除去される。
【００２８】
サポート材は、除去可能な材料として、水膨潤ゲル、ワックス、熱可塑性樹脂、水溶性材料、溶解性材料、硬化後に水、アルカリ性液体、有機溶剤等の除去液で除去可能な紫外線硬化型インク等が使用できる。中でも、サポート材もモデル材を支持するために迅速かつ容易に硬化することが望まれるため、紫外線硬化型インクであることが好ましい。サポート材の除去には、サポート材の性質に応じて水溶、加熱、化学反応、水圧洗浄等の動力洗浄や電磁波の照射により溶解させる、熱膨張差を利用した分離等の方法が適宜利用できる。モデル材として紫外線硬化型インクを用いる場合には予め水溶性や溶媒溶解性の性質のものとして、対応する溶媒で適宜除去すればよい。
【００２９】
〔吐出工程〕
吐出工程では、吐出対象物の上に着弾したモデル材の密度を、当該吐出対象物の上に着弾したサポート材の密度より大きくなるように上記モデル材及び上記サポート材を吐出する。ここでいう「密度」とは、体積密度である。
【００３０】
このようにサポート材の密度がモデル材の密度より低いことにより、サポート材を除去するための溶媒等の除去剤、又は、サポート材を除去するための外部刺激がモデル材より浸透しやすい。よって、より短時間でサポート材を除去することができる。また、サポート材を除去しない状態で維持する場合にも、得られる造形物を軽量にすることができる。
【００３１】
なお、吐出対象物とは、モデル材及びサポート材が着弾する対象の物を表しており、モデル材及びサポート材を積層させていく場合、例えば、一層目は、後から造形物を取り外し可能なアクリル板等の基材で有り得、二層目以降は、前回吐出されたモデル材及びサポート材で形成された層が吐出対象物となり得る。
【００３２】
吐出工程では、吐出対象物の上に着弾したサポート材の滴のうち、或る方向に隣接する２滴と、当該２滴のそれぞれから当該或る方向とは垂直方向に隣接する滴と４滴の中心に当該４滴が重複しない隙間が形成されるように、サポート材を吐出する。つまり、或る方向に隣接する２滴と、当該２滴のそれぞれから当該或る方向とは垂直方向に隣接する滴の任意の４滴に着目したとき、当該４滴の中心に当該４滴が重複しない隙間が形成されていることがより好ましい。
【００３３】
このように隙間が生じるようにサポート材を吐出することにより、サポート材を除去するための溶媒等の除去剤、又は、サポート材を除去するための外部刺激がより浸透しやすくなり、より短時間でサポート材を除去することができる。
【００３４】
また、吐出工程では、吐出対象物の上に着弾したサポート材の滴の直径をｒとし、隣接するサポート材の滴同士の中心間の距離をｘとしたとき、ｒ／２≦ｘ≦ｒとなるようにサポート材を吐出することがより好ましい。
【００３５】
ｘがｒ／２以上であることにより、サポート材の密度を低くすることができる。そのため、除去剤とサポート材とが接する面積がより広がり、サポート材の除去速度がより速くなる。また、ｘがｒ以下であることにより、サポート材の硬度が低くなりすぎることを抑え、モデル材を十分に支持することができる。
【００３６】
また、吐出工程では、吐出対象物の上に着弾した上記モデル材の滴の直径をｒとし、隣接する上記モデル材の滴同士の中心間の距離をｘとしたとき、０＜ｘ＜ｒとなるように上記サポート材を吐出することがより好ましい。
【００３７】
モデル材をより密にすることによって、表面精度の高い造形物が得られる。また、モデル材をより密にすることによって、サポート材を除去するための溶媒等の除去剤、又は、サポート材を除去するための外部刺激がモデル材に悪影響を与えることがより抑制され、サポート材の除去が容易となる。
【００３８】
吐出工程において、モデル材及びサポート材を吐出する順番は特に限定されるものではなく、使用する製造装置の仕様等に応じて適宜設定すればよい。例えば、インクジェット記録装置を用いて、モデル材及びインク材を同時に吐出してもよい。また、例えば、サポート材を吐出してサポート材のみを構成した後に、モデル材を構成すべき領域にモデル材を吐出してもよい。また、例えば、モデル材を吐出してモデル材を形成した後に、当該モデル材の構造が支持されるようにサポート材を吐出してもよい。
【００３９】
〔吐出パターン１〕
次に、図１を用いて、吐出工程におけるサポート材の吐出パターンの一例について説明する。図１は本発明の一実施形態に係る着弾したサポート材の滴の大きさ及び位置を表す模式図である。
【００４０】
図１には、吐出対象物の上に着弾したサポート材の滴Ｓのうち、或る方向に隣接する２滴と、当該２滴のそれぞれから当該或る方向とは垂直方向に隣接する滴と４滴が示されている。滴Ｓの直径がｒであり、隣り合う２つの滴Ｓの中心間の距離がｘである。
【００４１】
図１に示すように、本パターンではｘ＝ｒである。そして、４滴の滴Ｓの中心に隙間１０が形成されている。
【００４２】
このように隙間１０が設けられることにより、サポート材を除去するための溶媒等の除去剤、又は、サポート材を除去するための外部刺激がより浸透しやすくなり、より短時間でサポート材を除去することができる。
【００４３】
〔吐出パターン２〕
次に、図２を用いて、吐出工程におけるサポート材の吐出パターンの別例について説明する。図２は本発明の一実施形態に係る着弾したサポート材の滴の大きさ及び位置を表す模式図である。
【００４４】
図２に示すように、本パターンではｘ＜ｒであり、また、隙間１０が形成されている。図１に比べてサポート材は密になっているが、隙間１０が形成されているので、サポート材を除去するための溶媒等の除去剤、又は、サポート材を除去するための外部刺激は浸透しやすく、短時間でサポート材を除去することができる。
【００４５】
また、図１に比べてサポート材は密であるので、図１よりもサポート材を強固にする場合に望ましい吐出パターンである。
【００４６】
〔吐出パターン３〕
次に、図３を用いて、吐出工程におけるサポート材の吐出パターンの別例について説明する。図３は本発明の一実施形態に係る着弾したサポート材の滴の大きさ及び位置を表す模式図である。
【００４７】
図３に示すように、本パターンではｘ＞ｒであり、また、隙間１０が形成されている。図１に比べて隙間１０がより大きく形成されているので、サポート材を除去するための溶媒等の除去剤、又は、サポート材を除去するための外部刺激はより浸透しやすく、より短時間でサポート材を除去することができる。
【００４８】
また、図１に比べて隙間１０が大きいので、図１よりもサポート材を軽量にする場合に望ましい吐出パターンである。
【００４９】
〔吐出パターン４〕
次に、図４を用いて、吐出工程におけるサポート材の吐出パターンの別例について説明する。図４は本発明の一実施形態に係る着弾したサポート材の滴の大きさ及び位置を表す模式図である。
【００５０】
図４に示すように、隙間が形成されないほどサポート材は密になっている。本発明によれば、モデル材より密度が低いため、サポート材は除去しやすい。しかしながら、吐出パターン１〜３に比べると除去するための時間は長くなると考えられるため、吐出パターン１〜３の方がより好ましい。サポート材の強度をより高くする場合に吐出パターン４は適している。
【００５１】
〔吐出パターン５〕
次に、図５を用いて、吐出工程におけるサポート材の吐出パターンの別例について説明する。図５は本発明の一実施形態に係る着弾したサポート材の滴の大きさ及び位置を表す模式図である。
【００５２】
吐出パターン５では、インクジェット方式でモデル材及びサポート材を吐出している。矢印Ａは吐出対象物を移動させる主走査方向を示しており、矢印Ｂはモデル材及びサポート材の吐出ヘッドの走査方向を示している。
【００５３】
矢印Ｂ方向に並ぶ滴Ｓ間には隙間がないが、矢印Ｂ方向に並ぶ滴Ｓの列同士の間に隙間が形成されている。このように吐出ヘッドの走査方向には高密にしておき、吐出対象物を移動させる方向に低密にすることで隙間を形成してもよい。
【００５４】
〔吐出パターン６〕
次に、図６を用いて、吐出工程におけるサポート材の吐出パターンの別例について説明する。図６は本発明の一実施形態に係る着弾したサポート材の滴の大きさ及び位置を表す模式図である。
【００５５】
吐出パターン６では、インクジェット方式でモデル材及びサポート材を吐出している。矢印Ａは吐出対象物を移動させる主走査方向を示しており、矢印Ｂはモデル材及びサポート材の吐出ヘッドの走査方向を示している。
【００５６】
矢印Ｂ方向に並ぶ滴Ｓ間には隙間が形成されており、矢印Ａ方向に並ぶ滴Ｓの列同士の間に隙間が形成されている。このように吐出ヘッドの走査方向には低密にしておき、吐出対象物を移動させる方向に高密にすることで隙間を形成してもよい。
【００５７】
〔制御装置〕
造形物となるモデル材及び当該モデル材の支持体となるサポート材を吐出する印刷装置の制御装置であり、吐出対象物の上に着弾したモデル材の密度が、当該吐出対象物の上に着弾したサポート材の密度より大きくなるように上記モデル材及び上記サポート材を吐出する制御を行なう制御装置も本発明の範疇である。このように制御してサポート材及びモデル材を吐出することでサポート材が除去しやすい造形物を製造することができる。
【００５８】
制御装置には、上述した本発明に係る造形物の製造方法に基づくモデル材及びサポート材の吐出パターンが予め記憶されていることにより、当該吐出パターンに基づいてモデル材及びサポート材が吐出される。これにより、本発明に係る造形物の製造方法を好適に実施することができる。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６０】
〔付記事項〕
以上のように、本発明に係る造形物の製造方法の一実施形態は、造形物となるモデル材を形成するためのモデル材及び当該モデル材の支持体となるサポート材を形成するためのサポート材を吐出する吐出工程を含み、上記吐出工程では、吐出対象物の上に着弾したモデル材の密度が、当該吐出対象物の上に着弾したサポート材の密度より大きくなるように上記モデル材及び上記サポート材を吐出する。
【００６１】
上記の構成によれば、サポート材の密度はモデル材の密度より低いため、除去剤等はモデル材よりもサポート材に浸透しやすく、サポート材が除去されやすい。よって、より短時間でサポート材を除去することができる。
【００６２】
本発明に係る造形物の製造方法の一実施形態、上記吐出工程では、上記吐出対象物の上に着弾した上記サポート材の滴Ｓのうち、或る方向に隣接する２滴Ｓと、当該２滴Ｓのそれぞれから当該或る方向とは垂直方向に隣接する滴Ｓとの４滴Ｓの中心に当該４滴Ｓが重複しない隙間１０が形成されるように、サポート材を吐出する。
【００６３】
上記隙間が形成されることにより、除去剤とサポート材とが接する面積がより広がり、サポート材の除去速度がより速くなる。
【００６４】
本発明に係る造形物の製造方法の一実施形態では、上記吐出工程では、上記吐出対象物の上に着弾した上記サポート材の滴Ｓの直径をｒとし、隣接する上記サポート材の滴Ｓ同士の中心間の距離をｘとしたとき、ｒ／２≦ｘ≦ｒとなるように上記サポート材を吐出する。
【００６５】
除去剤とサポート材とが接する面積がより広がり、サポート材の除去速度がより速くなる。
【００６６】
本発明に係る造形物の製造方法の一実施形態では、上記吐出工程では、上記吐出対象物の上に着弾した上記モデル材の滴の直径をｒとし、隣接する上記モデル材の滴同士の中心間の距離をｘとしたとき、０＜ｘ＜ｒとなるように上記モデル材を吐出することがより好ましい。
【００６７】
モデル材をより密にすることによって、表面精度の高い造形物が得られる。また、モデル材をより密にすることによって、サポート材の除去が容易となる。
【００６８】
本発明に係る造形物の製造方法の一実施形態では、上記モデル材及び上記サポート材のうち少なくとも一方が紫外線硬化型インクであることがより好ましい。モデル材及びサポート材の硬化をより容易に行なうことができる。
【００６９】
本発明に係る制御装置は、造形物となるモデル材及び当該モデル材の支持体となるサポート材を吐出する印刷装置の制御装置であり、吐出対象物の上に着弾したモデル材の密度が、当該吐出対象物の上に着弾したサポート材の密度より大きくなるように上記モデル材及び上記サポート材を吐出する制御を行なうものである。サポート材が除去しやすい造形物を製造することができる。
【産業上の利用可能性】
【００７０】
本発明は、三次元造形物の製造に利用することができる。
【符号の説明】
【００７１】
１０  隙間
Ｓ  滴（サポート材の滴）
【図１】
2015123687.tif 000003
【図２】
2015123687.tif 000004
【図３】
2015123687.tif 000005
【図４】
2015123687.tif 000006
【図５】
2015123687.tif 000007
【図６】
2015123687.tif 000008